(57)【特許請求の範囲】
【請求項１】
ミッドプレーンを有する筐体内に、前記ミッドプレーンに対してケース前面を対向させた状態で配置される装置ケースと、
前記装置ケースに収容され、前記ケース前面側から該装置ケースのケース後面側へ流れる風を生成する第１ファンユニットと、
前記装置ケースにおける前記第１ファンユニットよりも前記ケース前面側に収容され、前記装置ケースの一方側を通過して前記第１ファンユニットへ流れる風の一部を吸気し、前記装置ケースの他方側へ送出する第２ファンユニットと、
を備える冷却装置。
【請求項２】
前記第１ファンユニットは、軸方向を前記装置ケースの前後方向とした第１軸流ファンと、前記ケース前面側に第１ファン吸気口が形成されるとともに前記ケース後面側に第１ファン排気口が形成され、内部に前記第１軸流ファンが収容される第１ファンケースと、を有し、
前記第２ファンユニットは、軸方向を前記装置ケースの横幅方向とした第２軸流ファンと、前記装置ケースの横幅方向の一方側に第２ファン吸気口が形成されるとともに前記装置ケースの横幅方向の他方側に第２ファン排気口が形成され、内部に前記第２軸流ファンが収容される第２ファンケースと、を有する、
請求項１に記載の冷却装置。
【請求項３】
前記第１ファンユニットは、前記第２ファンユニットと前記装置ケースの前後方向に並ぶとともに該第２ファンユニットと間隔を空けて配置される、
請求項２に記載の冷却装置。
【請求項４】
前記装置ケースにおける横幅方向の他方側には、前記第１ファン吸気口と前記第２ファン排気口との間を仕切る仕切壁部が設けられる、
請求項３の記載の冷却装置。
【請求項５】
前記第１ファンユニットは、前記第２ファンユニットに対して前記装置ケースの横幅方向の一方側へずれて配置される、
請求項２に記載の冷却装置。
【請求項６】
前記ケース後面は、前記装置ケースの横幅方向に対して傾斜され、
前記ケース後面には、異物ガードが設けられたケース排気口が形成される、
請求項１〜請求項５の何れか１項に記載の冷却装置。
【請求項７】
前記装置ケースは、ケース吸気口を有し、
前記第１ファンユニットは、前記ケース前面側から該装置ケースのケース後面側へ流れる風を生成して前記ケース吸気口から前記装置ケース内に風を導入し、
前記第２ファンユニットは、前記装置ケースの一方側を通過して前記ケース吸気口へ流れる風の一部、又は前記ケース吸気口から前記装置ケース内に導入された風の一部を吸気し、前記装置ケースの他方側へ送出する、
請求項１〜請求項６の何れか１項に記載の冷却装置。
【請求項８】
前後方向の一方側に筐体吸気口を有するとともに、前後方向の他方側に筐体排気口を有する筐体と、
前記筐体内に設けられ、該筐体内を前記筐体吸気口側の吸気側収容室と前記筐体排気口側の排気側収容室とに区画するとともに、前記筐体との間に前記吸気側収容室と前記排気側収容室とを接続する通風路を形成するミッドプレーンと、
前記排気側収容室に配置され、前記筐体吸気口から前記通風路を介して前記排気側収容室に風を導入する第１ファンユニットと、
前記排気側収容室における前記第１ファンユニットよりも前記ミッドプレーン側に配置され、前記通風路から前記第１ファンユニットへ流れる風の一部を吸気し、前記ミッドプレーンに沿って該排気側収容室の中央側へ送出する第２ファンユニットと、
を備える情報処理装置。
【発明の詳細な説明】
【技術分野】
【０００１】
本願が開示する技術は、冷却装置及び情報処理装置に関する。
【背景技術】
【０００２】
前面側に吸気口を有するとともに後面側に排気口を有する筐体と、筐体内に設けられるミッドプレーンと、ミッドプレーンの後面側に配置される冷却装置とを備える電子機器がある（例えば、特許文献１）。この種の電子機器では、冷却ファンが作動されると、吸気口から筐体内に冷却風が導入される。筐体内に導入された冷却風は、ミッドプレーン及びミッドプレーンに接続される各ユニットを冷却した後、筐体の排気口から排気される。
【先行技術文献】
【特許文献】
【０００３】
【特許文献１】特開２００８−２５１０６７号公報
【発明の概要】
【発明が解決しようとする課題】
【０００４】
しかしながら、吸気口から筐体内に導入された冷却風は、ミッドプレーンの横幅方向の両側を通って筐体の排気口から筐体の外部へ排気される。したがって、ミッドプレーンの後面側に冷却風が流れ難く、ミッドプレーンの後面側、すなわちミッドプレーンに対する筐体の排気口側の冷却効率が低下する可能性がある。
【０００５】
本願が開示する技術は、一つの側面として、ミッドプレーンに対する筐体の排気口側の冷却効率を高めることを目的とする。
【課題を解決するための手段】
【０００６】
本願が開示する技術では、冷却装置は、装置ケースと、第１ファンユニットと、第２ファンユニットと、を備える。装置ケースは、ミッドプレーンを有する筐体内に、ミッドプレーンに対してケース前面を対向させた状態で配置される。第１ファンユニットは、装置ケースに収容され、ケース前面側から装置ケースのケース後面側へ流れる風を生成する。第２ファンユニットは、装置ケースにおける第１ファンユニットよりもケース前面側に収容され、装置ケースの一方側を通過して第１ファンユニットへ流れる冷却風の一部を吸気し、装置ケースの他方側へ送出する。
【発明の効果】
【０００７】
本願が開示する技術によれば、一つの側面として、ミッドプレーンに対する筐体の排気口側の冷却効率を高めることができる。
【図面の簡単な説明】
【０００８】
【図１】図１は、第１実施形態に係る情報処理装置を前側から見た斜視図である。
【図２】図２は、図１に示される情報処理装置を後側から見た斜視図である。
【図３】図３は、図１に示される情報処理装置の平断面図である。
【図４】図４は、図３の一部拡大図である。
【図５】図５は、図４に示される中央側ユニットを前側から見た斜視図である。
【図６】図６は、図５に示される中央側ユニットを後側から見た斜視図である。
【図７】図７は、図５に示される中央側ユニットの縦断面図である。
【図８】図８は、図５に示される中央側ユニットの平断面図である。
【図９】図９は、図４に示される冷却装置を前側から見た斜視図である。
【図１０】図１０は、図９に示される冷却装置の平断面図である。
【図１１】図１１は、図９に示される冷却装置を横幅方向の一方側から見た側面図である。
【図１２】図１２は、図４に示される冷却装置を後側から見た斜視図である。
【図１３】図１３は、比較例に係る情報処理装置を示す縦断面図である。
【図１４】図１４は、図１３に示される情報処理装置の平断面図である。
【図１５】図１５は、比較例に係る冷却装置を示す縦断面図である。
【図１６】図１６は、第１実施形態に係る情報処理装置を示す図４に対応する平断面図である。
【発明を実施するための形態】
【０００９】
先ず、本願が開示する技術の第１実施形態について説明する。
【００１０】
（情報処理装置）
図１に示されるように、第１実施形態に係る情報処理装置１０は、ミッドプレーン方式の情報処理装置とされており、筐体１２内におけるミッドプレーン２０の両側に吸気側ユニット３０及び排気側ユニットがそれぞれ収容される。具体的には、情報処理装置１０は、筐体１２と、ミッドプレーン２０と、複数の吸気側ユニット３０と、複数の排気側ユニットとしての中央側ユニット４０及び外側ユニット６０と、複数の冷却装置７０とを備える。
【００１１】
なお、各図において適宜示される矢印Ｆは、筐体１２の前後方向の前側を示し、矢印Ｒは、筐体１２の前後方向の後側を示す。また、矢印Ｗは、筐体１２の横幅方向を示す。さらに、矢印Ｕは、筐体１２の高さ方向の上側を示す。また、矢印Ｖ，Ｖ１，Ｖ２，Ｖ３，Ｖ４は、筐体１２内の冷却風の流れを示す。
【００１２】
筐体１２は、前後方向の両側が開口した箱状に形成される。この筐体１２は、筐体１２の高さ方向（矢印Ｕ方向）に互いに対向する上壁部１２Ｕ及び下壁部１２Ｌと、筐体１２の横幅方向（矢印Ｗ方向）に互いに対向する一対の側壁部１２Ｓとを有する。
【００１３】
筐体１２の前後方向の前側の前面１２Ｆには、筐体吸気口１４が形成される。この筐体吸気口１４は、筐体１２内に複数の吸気側ユニット３０を収容するための収容口としても機能する。なお、筐体１２の前後方向の前側は、筐体１２の前後方向の一方側の一例である。
【００１４】
一方、図２に示されるように、筐体１２の前後方向の後側の後面１２Ｒには、筐体排気口１６が形成される。この筐体排気口１６は、筐体１２内に複数の排気側ユニットを収容するための収容口としても機能する。
【００１５】
図３に示されるように、筐体１２内の前後方向の中間部には、ミッドプレーン２０が設けられる。ミッドプレーン２０は、両面に各種の吸気側コネクタ２２及び排気側コネクタ２４が実装されたプリント基板とされる。このミッドプレーン２０は、立てられた状態で筐体１２内に収容される。換言すると、ミッドプレーン２０は、厚み方向を筐体１２の前後方向として筐体１２内に収容される。
【００１６】
図３に示されるように、筐体１２内は、ミッドプレーン２０によって筐体吸気口１４側の吸気側収容室１８Ｆと、筐体排気口１６側の排気側収容室１８Ｒとに区画される。また、ミッドプレーン２０の横幅（矢印Ｗ方向の長さ）は、筐体１２の横幅（矢印Ｗ方向の長さ）よりも狭くされる。これにより、ミッドプレーン２０の横幅方向の両側の端部２０Ｔと、筐体１２の一対の側壁部１２Ｓとの間に通風路２６がそれぞれ形成される。これらの通風路２６によって、吸気側収容室１８Ｆと排気側収容室１８Ｒとが接続（連通）される。
【００１７】
（吸気側ユニット）
吸気側収容室１８Ｆには、複数の吸気側ユニット３０が収容される。各吸気側ユニット３０は、例えば、ＣＰＵ及びメモリ等の複数の電子部品が実装されたプリント基板とされる。これらの吸気側ユニット３０は、厚み方向を筐体１２の高さ方向として、収容口としての筐体吸気口１４から吸気側収容室１８Ｆ内に収容される。また、吸気側ユニット３０の端部には、コネクタ３２が実装される。このコネクタ３２は、ミッドプレーン２０の筐体吸気口１４側の面（以下、「前面」という）２０Ｆに実装された吸気側コネクタ２２と電気的に接続される。
【００１８】
（排気側ユニット）
図３及び図４に示されるように、排気側収容室１８Ｒには、収容口としての筐体排気口１６から複数の排気側ユニットが収容される。本実施形態では、排気側ユニットとして、排気側収容室１８Ｒの横幅方向の中央側（中心線ＣＬ側）に収容される複数の中央側ユニット４０と、排気側収容室１８Ｒの横幅方向の外側に収容される外側ユニット６０とがある。中央側ユニット４０は、排気側収容室１８Ｒの横幅方向に２列で収容される。また、外側ユニット６０は、排気側収容室１８Ｒの横幅方向の両側において筐体１２の側壁部１２Ｓに沿って収容される。
【００１９】
なお、本実施形態では、一例として、筐体１２の横幅方向に並ぶ２つの中央側ユニット４０は、排気側収容室１８Ｒの横幅方向の中央（中心線ＣＬ）に対して対称に構成される。これと同様に、排気側収容室１８Ｒの横幅方向の両側に収容された外側ユニット６０は、排気側収容室１８Ｒの横幅方向の中央（中心線ＣＬ）に対して対称に構成される。また、以下では、筐体１２の横幅方向の外側（横幅方向の一方側）を矢印Ｗ１で示し、筐体１２の横幅方向の中央側（中心線ＣＬ側、横幅方向の他方側）を矢印Ｗ２で示す。
【００２０】
図５、図６及び図７に示されるように、中央側ユニット４０は、ユニットケース４２と、ユニットケース４２内に収容されるメインプリント基板４４と、複数の拡張プリント基板５０とを有する。ユニットケース４２は、箱状に形成される。このユニットケース４２は、ケース前面４２Ｆをミッドプレーン２０における筐体排気口１６側の面（以下、「後面」という）２０Ｒ（図４参照）に対向させた状態で、排気側収容室１８Ｒに収容される。
【００２１】
図５に示されるように、ケース前面４２Ｆには、メインプリント基板４４に実装されたコネクタ４６を露出させる前側コネクタ開口４８が形成される。このコネクタ４６は、ミッドプレーン２０の後面２０Ｒに実装された排気側コネクタ２４（図４参照）と電気的に接続される。
【００２２】
メインプリント基板４４には、コネクタ４８Ａ，４８Ｂを介して複数の拡張プリント基板５０が接続される。各拡張プリント基板５０の端部には、図示しないコネクタが実装される。これらのコネクタは、ユニットケース４２のケース後面４２Ｒに形成された複数の後側コネクタ開口５２から露出される。
【００２３】
図８に示されるように、ユニットケース４２の横幅方向の外側（矢印Ｗ１側）のケース側面４２Ｓには、ケース通気口５６が形成される。このケース通気口５６には、ユニットケース４２内への異物等の侵入を防止する異物ガード５８が設けられる。異物ガード５８は、例えば、格子状に形成されたり、パンチングメタル等で形成されたりする。なお、以下では、ユニットケース４２の前後方向の前側、中間部及び後側にあるケース通気口５６を、それぞれケース通気口５６Ｆ，５６Ｍ，５６Ｒとする。
【００２４】
図４に示されるように、外側ユニット６０は、例えば、電源ユニットとされる。この外側ユニット６０は、ユニットケース６２と、ユニットケース６２内に収容される図示しない変圧器等とを有している。この外側ユニット６０は、ケース前面６２Ｆを通風路２６と対向させた状態で、排気側収容室１８Ｒに収容される。
【００２５】
外側ユニット６０のケース前面６２Ｆは、後述する冷却装置７０のケース前面７２Ｆよりも筐体排気口１６側に配置される。これにより、外側ユニット６０と通風路２６との間に、後述する冷却装置７０の第１ファンユニット８０及び第２ファンユニット９０へ風を導入する共通ダクト６４が形成される。
【００２６】
（冷却装置）
図９に示されるように、冷却装置７０は、装置ケース７２と、第１ファンユニット８０と、第２ファンユニット９０とを有する。装置ケース７２は、箱状に形成される。この装置ケース７２は、ケース前面７２Ｆをミッドプレーン２０の端部２０Ｔの後面２０Ｒ（図４参照）に対向させた状態で、排気側収容室１８Ｒの横幅方向の外側（矢印Ｗ１側）に収容される。
【００２７】
図１０に示されるように、第１ファンユニット８０は、装置ケース７２の前後方向の中間部に収容される。この第１ファンユニット８０は、一対の第１軸流ファン８４と、一対の第１軸流ファン８４を収容する第１ファンケース８２とを有する。一対の第１軸流ファン８４は、回転する回転軸８４Ａと、回転軸８４Ａと一体に回転する複数の羽根８４Ｂとをそれぞれ有する。
【００２８】
各第１軸流ファン８４は、回転軸８４Ａに沿って風を吸い込み、回転軸８４Ａに沿って風を送り出す軸流送風機とされる。この一対の第１軸流ファン８４は、回転軸８４Ａを装置ケース７２の前後方向（矢印Ｆ、Ｒ方向）とし、同軸上に配列される。この一対の第１軸流ファン８４が作動されると、ケース前面７２Ｆからケース後面７２Ｒへ流れる風が生成される。なお、第１ファンユニット８０には、少なくとも１つの第１軸流ファン８４を収容することができる。
【００２９】
第１ファンケース８２は、前後方向の両側が開口した筒状の箱状に形成される。この第１ファンケース８２のケース前面８２Ｆ側には、第１ファンケース８２内に風を取り込む第１ファン吸気口８６が形成される。一方、第１ファンケース８２のケース後面８２Ｒ側には、第１ファンケース８２内の風を外部へ排出する第１ファン排気口８８が形成される。
【００３０】
第２ファンユニット９０は、装置ケース７２のケース前面７２Ｆ側に収容される。この第２ファンユニット９０は、一対の第２軸流ファン９４と、一対の第２軸流ファン９４を収容する第２ファンケース９２とを有する。一対の第２軸流ファン９４は、回転する回転軸９４Ａと、回転軸９４Ａと一体に回転する複数の羽根９４Ｂとをそれぞれ有する。
【００３１】
各第２軸流ファン９４は、回転軸９４Ａに沿って風を吸い込み、回転軸９４Ａに沿って風を送り出す軸流送風機とされる。この一対の第２軸流ファン９４は、回転軸９４Ａを装置ケース７２の横幅方向（矢印Ｗ方向）とし、同軸上に配列される。つまり、第２軸流ファン９４と第１軸流ファン８４とは、各々の回転軸８４Ａ，９４Ａの軸方向が略９０度ずれて配置される。また、一対の第２軸流ファン９４が作動されると、装置ケース７２の横幅方向の一方側（矢印Ｗ１側）を通過して第１ファンユニット８０へ流れる風の一部が第２ファンユニット９０に吸気され、装置ケース７２の横幅方向の他方側（矢印Ｗ２側）へ送出される。なお、第２ファンユニット９０には、少なくとも１つの第２軸流ファン９４を収容することができる。
【００３２】
第２ファンケース９２は、横幅方向の両側が開口した筒状の箱状に形成される。この第２ファンケース９２の横幅方向の一方側（矢印Ｗ１側）のケース側面９２Ｓ１には、第２ファンケース９２内に風を取り込む第２ファン吸気口９６が形成される。一方、第２ファンケース９２の横幅方向の他方側（矢印Ｗ２側）のケース側面９２Ｓ２には、第２ファンケース９２内の風を外部へ排出する第２ファン排気口９８が形成される。
【００３３】
ここで、第１ファンユニット８０は、第２ファンユニット９０と装置ケース７２の前後方向に並ぶとともに、第２ファンユニット９０と間隔を空けて配置される。これにより、装置ケース７２における第１ファンユニット８０と第２ファンユニット９０との間に、第１ファンユニット８０へ風を導入する吸気ダクト室７４が形成される。
【００３４】
図１１に示されるように、装置ケース７２の横幅方向の一方側（矢印Ｗ１側）のケース側面７２Ｓ１には、第１ファンユニット８０及び第２ファンユニット９０に風を導入するケース吸気口７６が形成される。ケース吸気口７６は、吸気ダクト室７４に通じるとともに、第２ファンユニット９０の第２ファン吸気口９６を露出させる。
【００３５】
一方、図１０に示されるように、装置ケース７２における横幅方向の他方側（矢印Ｗ２側）には、第１ファンユニット８０の第１ファン吸気口８６と第２ファンユニット９０の第２ファン排気口９８との間を仕切る仕切壁部７８が設けられる。この仕切壁部７８によって、矢印Ｋで示されるように、第２ファン排気口９８から送出された冷却風が、第１ファン吸気口８６へ流れることが制限される。
【００３６】
図１０及び図１２に示されるように、装置ケース７２のケース後面７２Ｒには、装置ケース７２の横幅方向に対して傾斜される。より具体的には、ケース後面７２Ｒは、装置ケース７２の前側から後側へ向けて装置ケース７２の横幅方向の一方側（矢印Ｗ１側）へ傾斜される。このケース後面７２Ｒには、装置ケース７２内の風を外部へ排気するケース排気口１００が形成される。このケース排気口１００には、装置ケース７２内への異物等の侵入を防止する異物ガード１０２が設けられる。異物ガード１０２は、例えば、格子状に形成されたり、パンチングメタル等で形成されたりする。
【００３７】
図１０に示されるように、装置ケース７２における後部は、第１ファン排気口８８からケース排気口１００へ延びる排気ダクト室１０４が設けられる。この排気ダクト室１０４における装置ケース７２の横幅方向の他方側のケース側面７２Ｓ２には、通気口１０６が形成される。この通気口１０６には、異物ガード１０８が設けられる。また、通気口１０６は、中央側ユニット４０の後側のケース通気口５６Ｍ（図４参照）と接続される。異物ガード１０８は、例えば、格子状に形成されたり、パンチングメタル等で形成されたりする。
【００３８】
図４に示されるように、冷却装置７０の後側には、筐体１２の筐体排気口１６へ延びる排気ダクト２８が形成される。この排気ダクト２８には、中央側ユニット４０の後側のケース通気口５６Ｒが接続される。
【００３９】
次に、本実施形態の作用について説明する。
【００４０】
図３に示されるように、冷却装置７０の第１ファンユニット８０は、第１軸流ファン８４の軸方向を筐体１２の前後方向として配置される。この第１軸流ファン８４が作動されると、筐体１２の前後方向の前側から後側へ流れる冷却風が形成される。これにより、筐体１２の前側の筐体吸気口１４から吸気側収容室１８Ｆ内に冷却風Ｖが導入される。この冷却風Ｖは、複数の吸気側ユニット３０を通過した後、ミッドプレーン２０の前面２０Ｆに沿って筐体１２の横幅方向の両側へ流れる。これにより、複数の吸気側ユニット３０が冷却される。
【００４１】
次に、ミッドプレーン２０の前面２０Ｆに沿って筐体１２の横幅方向の両側へ流れた冷却風Ｖは、ミッドプレーン２０の横幅方向の両側の通風路２６を通って筐体１２の排気側収容室１８Ｒへ流れ込む。そして、図４に示されるように、排気側収容室１８Ｒに流れ込んだ冷却風Ｖ１は、冷却装置７０の横幅方向の外側（矢印Ｗ１側）に形成された共通ダクト６４を通過し、冷却装置７０のケース吸気口７６から吸気ダクト室７４へ流れ込む。
【００４２】
次に、吸気ダクト室７４に流れ込んだ冷却風Ｖ１は、第１ファン吸気口８６から第１ファンケース８２内に吸引され、第１ファン排気口８８から排気ダクト室１０４へ送出される。次に、排気ダクト室１０４へ送出された冷却風Ｖ１は、ケース後面７２Ｒのケース排気口１００から排気ダクト２８及び筐体排気口１６を介して筐体１２の外部へ排気される。
【００４３】
ここで、冷却装置７０は、第２ファンユニット９０を有する。第２ファンユニット９０は、装置ケース７２における第１ファンユニット８０よりもケース前面７２Ｆ側（ミッドプレーン２０側）に収容される。この第２ファンユニット９０は、第２軸流ファン９４の軸方向を筐体１２の横幅方向として配置される。この第２軸流ファン９４が作動されると、共通ダクト６４を通過する冷却風Ｖの一部（冷却風Ｖ２）が、第２ファン吸気口９６から第２ファンケース９２内に吸引され、第２ファン排気口９８からミッドプレーン２０の後面２０Ｒに沿って筐体１２の横幅方向の中央側へ送出される。
【００４４】
次に、筐体１２の横幅方向の中央側へ送出された冷却風Ｖ２は、中央側ユニット４０の前側のケース通気口５６Ｆからユニットケース４２内へ流れ込む。この冷却風Ｖ２は、ユニットケース４２に沿って後側へ流れ、メインプリント基板４４及び複数の拡張プリント基板５０を通過する。この際、冷却風Ｖ２によって、メインプリント基板４４及び複数の拡張プリント基板５０が冷却される。
【００４５】
次に、ユニットケース４２内を流れた冷却風Ｖ３は、ユニットケース４２の前後方向の中間部のケース通気口５６Ｍから、冷却装置７０の後側の通気口１０６を介して装置ケース７２内に流れ込む。この冷却風Ｖ３は、ケース後面７２Ｒのケース排気口１００から排気ダクト２８及び筐体排気口１６を介して筐体１２の外部へ排気される。
【００４６】
若しくは、ユニットケース４２内を流れた冷却風Ｖ４は、ユニットケース４２の後側のケース通気口５６Ｒから排気ダクト２８へ流れ込み、筐体排気口１６から筐体１２の外部へ排気される。
【００４７】
このように本実施形態では、第２ファンユニット９０により、通風路２６から第１ファンユニット８０へ流れる冷却風Ｖの一部がミッドプレーン２０の後面２０Ｒに沿って排気側収容室１８Ｒの中央側へ送出される。これにより、排気側収容室１８Ｒの中央側の冷却効率が高められる。
【００４８】
ここで、本実施形態の作用をより明確にするために、比較例に係る情報処理装置について説明する。
【００４９】
図１３に示されるように、比較例に係る情報処理装置２００では、筐体１２の吸気側収容室１８Ｆの上部に、ミッドプレーン２０の上側を通過して排気側収容室１８Ｒに風を案内する上部ダクト２０２が形成される。また、上部ダクト２０２の横幅方向の中央部には、排気側収容室１８Ｒ内へ延出する縦ダクト２０４が接続される。この縦ダクト２０４の後部における両側の側面には、通気口２０６（図１４参照）が形成される。この通気口２０６は、図１４に示されるように、縦ダクト２０４の横幅方向の両側に収容された中央側ユニット２０８の通気口２１０に接続される。
【００５０】
中央側ユニット２０８の横幅方向の外側には、冷却装置２２０が収容される。この冷却装置２２０は、筐体１２の前後方向に配列された一対のファンユニット２２２を有する。各ファンユニット２２２は、軸流ファン２２４の軸方向を前後方向として配置される。この冷却装置２２０両側の側面には、ケース吸気口２２６Ａ，２２６Ｂが形成される。そして、一方のケース吸気口２２６Ａは、中央側ユニット２０８の側面に形成された通気口２１２と接続される。また、他方のケース吸気口２２６Ｂは、通風路２６に接続される。
【００５１】
ここで、比較例に係る情報処理装置２００では、冷却装置２２０の一対のファンユニット２２２が作動されると、図１３に示されるように、筐体１２の前面１２Ｆ側から上部ダクト２０２に冷却風Ｖが導入される。この冷却風Ｖは、図１３及び図１４に示されるように、縦ダクト２０４の後側の通気口２０６から中央側ユニット２０８の後側の通気口２１０に供給される。
【００５２】
次に、図１４に示されるように、中央側ユニット２０８の後側の通気口２１０に供給された冷却風Ｖは、中央側ユニット２０８に沿って前側へ流れ、中央側ユニット２０８の前側の通気口２１２から冷却装置２２０のケース吸気口２２６Ａに導入される。次に、ケース吸気口２２６Ａに導入された冷却風Ｖは、一対のファンユニット２２２を通過し、筐体排気口１６から筐体１２の外部へ排気される。
【００５３】
このように比較例に係る情報処理装置２００では、排気側収容室１８Ｒの横幅方向の中央部に縦ダクト２０４を設置するため、排気側収容室１８Ｒに対する中央側ユニット２０８の収容スペースが狭くなる。つまり、排気側収容室１８Ｒに対する中央側ユニット２０８の収容数が少なくなる。
【００５４】
これに対して本実施形態では、図４に示されるように、冷却装置７０の第２ファンユニット９０によって、通風路２６から第１ファンユニット８０へ流れる冷却風Ｖの一部（冷却風Ｖ２）がミッドプレーン２０の後面２０Ｒに沿って排気側収容室１８Ｒの横幅方向の中央側へ送出される。これにより、比較例における縦ダクト２０４を省略しつつ、排気側収容室１８Ｒの中央側の冷却効率を高めることができる。つまり、本実施形態では、排気側収容室１８Ｒに対する中央側ユニット４０の収容数を確保しつつ、排気側収容室１８Ｒの中央側の冷却効率を高めることができる。
【００５５】
また、比較例に係る冷却装置２２０では、図１５に示されるように、一対のファンユニット２２２が、高さ方向（矢印Ｕ方向）にずれて配置されており、一対のファンユニット２２２の間が斜めの仕切板２２８によって仕切られる。これにより、一対のファンユニット２２２の冷却効率を高めている。しかしながら、比較例に係る冷却装置２２０では、一対のファンユニット２２２が高さ方向（矢印Ｕ方向）にずれるため、冷却装置２２０の高さが高くなる。
【００５６】
これに対して本実施形態の冷却装置７０では、図４に示されるように、第１ファンユニット８０及び第２ファンユニット９０の冷却風Ｖ１，Ｖ２の送出方向が異なる。そのため、第１ファンユニット８０と第２ファンユニット９０とを、装置ケース７２の高さ方向にずらす理由がない。したがって、本実施形態では、第１ファンユニット８０と第２ファンユニット９０とが装置ケース７２の高さ方向にずれておらず、装置ケース７２の前後方向に並んで配置される。これにより、本実施形態では、比較例の冷却装置２２０と比較して、冷却装置７０の高さを低くすることができる。
【００５７】
また、本実施形態では、第１ファンユニット８０と第２ファンユニット９０とが装置ケース７２の横幅方向にずれておらず、装置ケース７２の前後方向に並んで配置される。これにより、本実施形態では、第１ファンユニット８０と第２ファンユニット９０とが装置ケース７２の横幅方向にずれて配置される場合と比較して、冷却装置７０の横幅を狭くすることができる。
【００５８】
さらに、図１０に示されるように、装置ケース７２における横幅方向の他方側には、第１ファンユニット８０の第１ファン吸気口８６と第２ファンユニット９０の第２ファン排気口９８との間を仕切る仕切壁部７８が設けられる。この仕切壁部７８によって、矢印Ｋで示されるように、第２ファン排気口９８から送出された冷却風が、第１ファン吸気口８６へ流れることが制限される。これにより、第２ファンユニット９０から筐体１２の横幅方向の中央側へ冷却風が効率的に送出される。したがって、中央側ユニット４０の冷却効率が高められる。
【００５９】
また、冷却装置７０のケース後面７２Ｒには、異物ガード１０２が設けられたケース排気口１００が形成される。このケース後面７２Ｒは、装置ケース７２の横幅方向に対して傾斜される。これにより、本実施形態では、ケース後面７２Ｒが横幅方向に対して傾斜しない場合と比較して、ケース後面７２Ｒに形成されたケース排気口１００の開口面積が広くなる。このように開口面積が広くされたケース排気口１００に対して異物ガード１０２を設けることにより、ケース後面７２Ｒの開口率を高めることができる。
【００６０】
さらに、ケース後面７２Ｒは、装置ケース７２の前側から後側へ向けて筐体１２の横幅方向の外側（矢印Ｗ１側）へ傾斜される。これにより、図４に示されるように、冷却装置７０の後側に、排気ダクト２８が形成される。この排気ダクト２８には、中央側ユニット４０の後側のケース通気口５６Ｒから冷却風Ｖ４が排気される。つまり、中央側ユニット４０内を流れた冷却風Ｖ２は、冷却装置７０の異物ガード１０２を通過せずに、排気ダクト２８を介して筐体排気口１６から筐体１２の外部へ排気される。したがって、冷却風Ｖ４の排気効率が向上する。
【００６１】
次に、第２実施形態について説明する。なお、第２実施形態において、第１実施形態と同じ構成の部材には同符号を付して説明を適宜省略する。
【００６２】
図１６に示されるように、第２実施形態に係る冷却装置１１０では、第１ファンユニット８０が、第２ファンユニット９０に対して装置ケース７２の横幅方向の一方側（筐体１２の横幅方向の外側）にずれて配置される。この第１ファンユニット８０は、ミッドプレーン２０の端部２０Ｔよりも筐体１２の横幅方向の外側に配置されており、通風路２６と対向して配置される。また、第１ファンケース８２と第２ファンケース９２とは、各々の第１ファン吸気口８６側の角部８２Ｃと第２ファン吸気口９６側の角部９２Ｃとを接触させた状態で配置される。
【００６３】
また、装置ケース７２のケース前面７２Ｆには、第１ファンユニット８０の第１ファン吸気口８６及び第２ファンユニット９０の第２ファン吸気口９６へ風を導入するケース吸気口１１６が形成される。このケース吸気口１１６は、通風路２６及び第１ファンユニット８０の第１ファン吸気口８６と対向される。つまり、通風路２６、ケース吸気口１１６、第１ファン吸気口８６は、筐体１２の前後方向に並んで配置される。
【００６４】
次に、第２実施形態の作用について説明する。
【００６５】
図１６に示されるように、冷却装置１１０では、第１ファンユニット８０が、第２ファンユニット９０に対して装置ケース７２の横幅方向の外側（矢印Ｗ１側）へずれて配置される。この第１ファンユニット８０の第１ファン吸気口８６側の角部８２Ｃと、第２ファンユニット９０の第２ファン吸気口９６側の角部９２Ｃとは、接触される。これより、装置ケース７２の前後方向の長さを短くすることができる。したがって、冷却装置１１０を前後方向に小型化することができる。
【００６６】
また、装置ケース７２のケース前面７２Ｆにおける第１ファンユニット８０と対向する部位には、ケース吸気口１１６が形成される。つまり、ケース吸気口１１６と第１ファンユニット８０とは、装置ケース７２の前後方向に並んで配置される。したがって、ケース吸気口１１６から第１ファンユニット８０に対する冷却風Ｖの導入効率が向上する。
【００６７】
さらに、第１ファンユニット８０は、通風路２６の後側に配置される。そのため、第１ファンユニット８０の送風力（吸引力）によって、吸気側収容室１８Ｆから通風路２６を介して排気側収容室１８Ｒ内に冷却風Ｖが導入され易くなる。したがって、排気側収容室１８Ｒの冷却効率が向上する。
【００６８】
次に、上記第１，第２実施形態の変形例について説明する。なお、以下では、第１実施形態を例に各種の変形例について説明するが、これらの変形例は第２実施形態にも適宜適用可能である。
【００６９】
上記第１実施形態では、第１軸流ファン８４の軸方向と第２軸流ファン９４の軸方向とが９０度ずれるが、上記第１実施形態はこれに限らない。第１軸流ファン８４の軸方向と第２軸流ファン９４の軸方向とは、９０度に限らず、前述した作用及び効果を発揮し得る範囲で交差させることができる。また、冷却装置７０から装置ケース７２を省略し、第１ファンユニット８０及び第２ファンユニット９０を筐体１２に収容（搭載）することも可能である。
【００７０】
また、上記第１実施形態では、冷却装置７０のケース後面７２Ｒが傾斜されるが、ケース後面７２Ｒは傾斜されなくても良い。また、上記第１実施形態では、ケース後面７２Ｒのケース排気口１００に異物ガード１０２が設けられるが、この異物ガード１０２は適宜変更可能である。また、冷却装置７０の装置ケース７２に対するケース吸気口７６及びケース排気口１００の数及び配置も適宜変更である。
【００７１】
また、上記第１実施形態では、筐体１２に複数の吸気側ユニット３０、中央側ユニット４０及び外側ユニット６０が収容されるが、筐体１２に収容されるユニットの種類、数及び配置は、適宜変更可能である。
【００７２】
また、上記第１実施形態では、筐体１２の前面１２Ｆ側が、筐体１２の前後方向の一方側とされるが、筐体１２の後面１２Ｒ側が、筐体１２の前後方向一方側とされても良い。
【００７３】
また、上記第１実施形態では、筐体１２の一対の側壁部１２Ｓとミッドプレーン２０の横幅方向両側の端部２０Ｔとの間に通風路２６がそれぞれ形成されるが、上記第１実施形態はこれに限らない。例えば、筐体１２の上壁部１２Ｕ及び下壁部１２Ｌとミッドプレーン２０の上下方向両側の端部との間に、通風路がそれぞれ形成されても良い。この場合、冷却装置７０は、９０度回転させた状態で排気側収容室１８Ｒの高さ方向両側に配置される。この状態では、第２ファンユニット９０は、装置ケース７２の高さ方向の一方側を通過して第１ファンユニット８０へ流れる風の一部を吸気し、装置ケース７２の高さ方向の他方側（筐体１２の高さ方向の中央側）へ送出する。換言すると、上記第１実施形態に係る情報処理装置１０では、図１に示される矢印Ｕ方向が高さ方向の上側（重力方向と反対方向）とされるが、この情報処理装置１０を９０度回転させ、図１に示される横幅方向（矢印Ｗ）の一方側を高さ方向の上側（重力方向と反対方向）としても良い。
【００７４】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００７５】
なお、以上の実施形態に関し、さらに以下の付記を開示する。
【００７６】
（付記１）
ミッドプレーンを有する筐体内に、前記ミッドプレーンに対してケース前面を対向させた状態で配置される装置ケースと、
前記装置ケースに収容され、前記ケース前面側から該装置ケースのケース後面側へ流れる風を生成する第１ファンユニットと、
前記装置ケースにおける前記第１ファンユニットよりも前記ケース前面側に収容され、前記装置ケースの一方側を通過して前記第１ファンユニットへ流れる風の一部を吸気し、前記装置ケースの他方側へ送出する第２ファンユニットと、
を備える冷却装置。
（付記２）
前記第１ファンユニットは、軸方向を前記装置ケースの前後方向とした第１軸流ファンと、前記ケース前面側に第１ファン吸気口が形成されるとともに前記ケース後面側に第１ファン排気口が形成され、内部に前記第１軸流ファンが収容される第１ファンケースと、を有し、
前記第２ファンユニットは、軸方向を前記装置ケースの横幅方向とした第２軸流ファンと、前記装置ケースの横幅方向の一方側に第２ファン吸気口が形成されるとともに前記装置ケースの横幅方向の他方側に第２ファン排気口が形成され、内部に前記第２軸流ファンが収容される第２ファンケースと、を有する、
付記１に記載の冷却装置。
（付記３）
前記第１ファンユニットは、前記第２ファンユニットと前記装置ケースの前後方向に並ぶとともに該第２ファンユニットと間隔を空けて配置される、
付記２に記載の冷却装置。
（付記４）
前記装置ケースにおける横幅方向の他方側には、前記第１ファン吸気口と前記第２ファン排気口との間を仕切る仕切壁部が設けられる、
付記３の記載の冷却装置。
（付記５）
前記装置ケースの横幅方向の一方側のケース側面には、前記第１ファンユニット及び前記第２ファンユニットに風を導入するケース吸気口が形成される、
付記３又は付記４の記載の冷却装置。
（付記６）
前記第１ファンユニットは、前記第２ファンユニットに対して前記装置ケースの横幅方向の一方側へずれて配置される、
付記２に記載の冷却装置。
（付記７）
前記ケース前面には、前記第１ファンユニット及び前記第２ファンユニットへ風を導入するケース吸気口が形成される、
付記６に記載の冷却装置。
（付記８）
前記第１ファンケースと前記第２ファンケースとは、前記第１ファン吸気口側の角部と前記第２ファン吸気口側の角部とを接触させた状態で配置される、
付記５に記載の冷却装置。
（付記９）
前記ケース後面は、前記装置ケースの横幅方向に対して傾斜され、
前記ケース後面には、異物ガードが設けられたケース排気口が形成される、
付記１〜付記８の何れか１つに記載の冷却装置。
（付記１０）
前記ケース後面は、前記装置ケースの前側から後側へ向けて該装置ケースの横幅方向の一方側へ傾斜される、
付記９に記載の冷却装置。
（付記１１）
前記装置ケースは、前記第１ファンユニットから前記ケース後面へ延びる排気ダクト室を有し、
前記排気ダクト室の横幅方向の他方側のケース側面には、通気口が形成される、
付記１〜付記１０の何れか１つに記載の冷却装置。
（付記１２）
前後方向の一方側に筐体吸気口を有するとともに、前後方向の他方側に筐体排気口を有する筐体と、
前記筐体内に設けられ、該筐体内を前記筐体吸気口側の吸気側収容室と前記筐体排気口側の排気側収容室とに区画するとともに、前記筐体との間に前記吸気側収容室と前記排気側収容室とを接続する通風路を形成するミッドプレーンと、
前記排気側収容室に配置され、前記筐体吸気口から前記通風路を介して前記排気側収容室に風を導入する第１ファンユニットと、
前記排気側収容室における前記第１ファンユニットよりも前記ミッドプレーン側に配置され、前記通風路から前記第１ファンユニットへ流れる風の一部を吸気し、前記ミッドプレーンに沿って該排気側収容室の中央側へ送出する第２ファンユニットと、
を備える情報処理装置。
（付記１３）
前記ミッドプレーンに対してケース前面を対向させた状態で配置され、前記第１ファンユニット及び前記第２ファンユニットを収容する装置ケースを備える、
付記１２に記載の情報処理装置。
（付記１４）
前記第１ファンユニットは、軸方向を前記装置ケースの前後方向とした第１軸流ファンと、前記ケース前面側に第１ファン吸気口が形成されるとともに前記装置ケースのケース後面側に第１ファン排気口が形成され、内部に前記第１軸流ファンが収容される第１ファンケースと、を有し、
前記第２ファンユニットは、軸方向を前記装置ケースの横幅方向とした第２軸流ファンと、前記装置ケースの横幅方向の一方側に第２ファン吸気口が形成されるとともに前記装置ケースの横幅方向の他方側に第２ファン排気口が形成され、内部に前記第２軸流ファンが収容される第２ファンケースと、を有する、
付記１３に記載の情報処理装置。
（付記１５）
前記第１ファンユニットは、前記第２ファンユニットと前記装置ケースの前後方向に並ぶとともに該第２ファンユニットと間隔を空けて配置される、
付記１４に記載の情報処理装置。
（付記１６）
前記装置ケースにおける横幅方向の他方側には、前記第１ファン吸気口と前記第２ファン排気口との間を仕切る仕切壁部が設けられる、
付記１５の記載の情報処理装置。
（付記１７）
前記装置ケースの横幅方向の一方側のケース側面には、前記第１ファンユニット及び前記第２ファンユニットに風を導入するケース吸気口が形成される、
付記１５又は付記１６の記載の情報処理装置。
（付記１８）
前記第１ファンユニットは、前記第２ファンユニットに対して前記装置ケースの横幅方向の一方側へずれて配置される、
付記１４に記載の情報処理装置。
（付記１９）
前記ケース前面には、前記第１ファンユニット及び前記第２ファンユニットへ風を導入するケース吸気口が形成される、
付記１８に記載の情報処理装置。
（付記２０）
前記装置ケースは、前記第１ファンユニットから前記ケース後面へ延びる排気ダクト室を有し、
前記排気ダクト室の横幅方向の他方側のケース側面には、通気口が形成される、
付記１４〜付記１９の何れか１つに記載の情報処理装置。
【符号の説明】
【００７７】
１０      情報処理装置
１２      筐体
１２Ｓ    側壁部（筐体の側壁部の一例）
１４      筐体吸気口
１６      筐体排気口
１８Ｆ    吸気側収容室
１８Ｒ    排気側収容室
２０      ミッドプレーン
２６      通風路
７０      冷却装置
７２      装置ケース
７２Ｆ    ケース前面（装置ケースのケース前面の一例）
７２Ｒ    ケース後面（装置ケースのケース後面の一例）
７２Ｓ１  ケース側面（装置ケースの横幅方向の一方側のケース側面の一例）
７２Ｓ２  ケース側面（装置ケースの横幅方向の他方側のケース側面の一例）
７６      ケース吸気口
７８      仕切壁部
８０      第１ファンユニット
８２      第１ファンケース
８２Ｃ    角部
８４      第１軸流ファン
８６      第１ファン吸気口
８８      第１ファン排気口
９０      第２ファンユニット
９２      第２ファンケース
９２Ｃ    角部
９４      第２軸流ファン
９６      第２ファン吸気口
９８      第２ファン排気口
１００    ケース排気口
１０２    異物ガード
１０４    排気ダクト室
１０６    通気口
１１０    冷却装置
１１６    ケース吸気口
【図１】
0006627438.tif 000002
【図２】
0006627438.tif 000003
【図３】
0006627438.tif 000004
【図４】
0006627438.tif 000005
【図５】
0006627438.tif 000006
【図６】
0006627438.tif 000007
【図７】
0006627438.tif 000008
【図８】
0006627438.tif 000009
【図９】
0006627438.tif 000010
【図１０】
0006627438.tif 000011
【図１１】
0006627438.tif 000012
【図１２】
0006627438.tif 000013
【図１３】
0006627438.tif 000014
【図１４】
0006627438.tif 000015
【図１５】
0006627438.tif 000016
【図１６】
0006627438.tif 000017